(57)【特許請求の範囲】
【請求項１】
利用者から提供される通信ネットワーク設定情報を受信する通信ネットワーク設定情報受信部と、
通信ネットワーク設定サービスアドレスと前記通信ネットワーク設定情報とを有する通信ネットワーク設定サービスメッセージを生成するメッセージ生成部と、
前記通信ネットワーク設定サービスメッセージを指定の端末へ送信するメッセージ送信部と、を有する通信ネットワーク設定サービスメッセージ提供部と、
前記通信ネットワーク設定サービスメッセージの通信ネットワーク設定サービスアドレスに基づいて前記通信ネットワーク設定サービスメッセージを受信するメッセージ受信部と、
前記受信された通信ネットワーク設定サービスメッセージが有する通信ネットワーク設定情報を使用して、通信ネットワーク端末に対して設定される端末設定データを生成する端末設定データ生成部と、
前記端末設定データを指定の端末へ送信する端末設定データ送信部と、を有する端末設定サービス部と、
を備えたことを特徴とする通信ネットワーク設定サービス装置。
【請求項２】
前記端末設定データ生成部は、指定の通信ネットワーク端末機種に対応する前記端末設定データを生成することを特徴とする請求項１に記載の通信ネットワーク設定サービス装置。
【請求項３】
前記通信ネットワーク設定サービスメッセージ提供部は、通信ネットワーク設定情報が撮像された画像から該通信ネットワーク設定情報を取得する画像解析部によって取得された該通信ネットワーク設定情報を、前記通信ネットワーク設定サービスメッセージに有させることを特徴とする請求項１又は２のいずれか１項に記載の通信ネットワーク設定サービス装置。
【請求項４】
前記通信ネットワークは無線ＬＡＮ（Local Area Network）であることを特徴とする請求項１から３のいずれか１項に記載の通信ネットワーク設定サービス装置。
【請求項５】
前記通信ネットワーク設定サービスメッセージはＵＲＬ（Uniform Resource Locator）形式であることを特徴とする請求項１から４のいずれか１項に記載の通信ネットワーク設定サービス装置。
【請求項６】
通信ネットワーク設定サービスメッセージ提供部が、利用者から提供される通信ネットワーク設定情報を受信する通信ネットワーク設定情報受信ステップと、
前記通信ネットワーク設定サービスメッセージ提供部が、通信ネットワーク設定サービスアドレスと前記通信ネットワーク設定情報とを有する通信ネットワーク設定サービスメッセージを生成するメッセージ生成ステップと、
前記通信ネットワーク設定サービスメッセージ提供部が、前記通信ネットワーク設定サービスメッセージを指定の端末へ送信するメッセージ送信ステップと、
端末設定サービス部が、前記通信ネットワーク設定サービスメッセージの通信ネットワーク設定サービスアドレスに基づいて前記通信ネットワーク設定サービスメッセージを受信するメッセージ受信ステップと、
前記端末設定サービス部が、前記受信された通信ネットワーク設定サービスメッセージが有する通信ネットワーク設定情報を使用して、通信ネットワーク端末に対して設定される端末設定データを生成する端末設定データ生成ステップと、
前記端末設定サービス部が、前記端末設定データを指定の端末へ送信する端末設定データ送信ステップと、
を含むことを特徴とする通信ネットワーク設定サービス方法。
【請求項７】
コンピュータに、
利用者から提供される通信ネットワーク設定情報を受信する通信ネットワーク設定情報受信ステップと、
通信ネットワーク設定サービスアドレスと前記通信ネットワーク設定情報とを有する通信ネットワーク設定サービスメッセージを生成するメッセージ生成ステップと、
前記通信ネットワーク設定サービスメッセージを指定の端末へ送信するメッセージ送信ステップと、
前記通信ネットワーク設定サービスメッセージの通信ネットワーク設定サービスアドレスに基づいて前記通信ネットワーク設定サービスメッセージを受信するメッセージ受信ステップと、
前記受信された通信ネットワーク設定サービスメッセージが有する通信ネットワーク設定情報を使用して、通信ネットワーク端末に対して設定される端末設定データを生成する端末設定データ生成ステップと、
前記端末設定データを指定の端末へ送信する端末設定データ送信ステップと、
を実行させるためのコンピュータプログラム。
【発明の詳細な説明】
【技術分野】
【０００１】
本発明は、通信ネットワーク設定サービス装置、通信ネットワーク設定サービス方法およびコンピュータプログラムに関する。
【背景技術】
【０００２】
近年、スマートフォン等の携帯通信端末装置（以下、携帯端末と称する）の普及により、家族全員がそれぞれ自分の携帯端末を所有するようになってきている。また、無線ＬＡＮ（Local Area Network）の普及により、宅内に無線ＬＡＮアクセスポイント装置を備えて無線ＬＡＮを構成し、該無線ＬＡＮをインターネットに接続することも行われている。
【０００３】
一般に携帯端末は、携帯電話ネットワークに接続する端末（携帯電話ネットワーク端末）としての機能と、無線ＬＡＮに接続する端末（無線ＬＡＮ端末）としての機能を有する。これにより、宅内において、携帯端末から宅内に構成された無線ＬＡＮを介してインターネットに接続することが可能である。
【０００４】
通常、携帯端末から無線ＬＡＮに接続するためには、無線ＬＡＮアクセスポイント装置の無線ＬＡＮ設定情報を該携帯端末に設定する。無線ＬＡＮ設定情報として、無線ＬＡＮアクセスポイント装置の識別子であるＳＳＩＤ（Service Set ID）、無線ＬＡＮアクセスポイント装置への接続の認証のためのパスワードなどがある。無線ＬＡＮ設定情報を携帯端末に設定することにより、該携帯端末から無線ＬＡＮに接続することができる。
【０００５】
無線ＬＡＮ設定情報の設定を容易に行うための技術として、例えば非特許文献１が知られている。非特許文献１の従来技術は、無線ＬＡＮの規格の一つである「Ｗｉ−Ｆｉ」と呼ばれる無線ＬＡＮ規格における技術であり、ＷＰＳ（Wi-Fi Protected Setup）と呼ばれるものである。このＷＰＳでは、無線ＬＡＮアクセスポイント装置と無線ＬＡＮ端末において、それぞれの機器に設けられた専用のボタンを押すことにより、無線ＬＡＮ設定情報の設定が自動的に行われるようになっている。
【先行技術文献】
【特許文献】
【０００６】
【特許文献１】特許第4762660号公報
【非特許文献】
【０００７】
【非特許文献１】“Wi-Fi Simple Configuration Technical Specification Version 2.0.0”，Wi-Fi Alliance，2010年
【発明の概要】
【発明が解決しようとする課題】
【０００８】
しかし、上述したＷＰＳでは、専用のボタンが無線ＬＡＮアクセスポイント装置と無線ＬＡＮ端末の両方に設けられている必要があり、これに対応していない携帯端末や無線ＬＡＮアクセスポイント装置では手動で携帯端末に無線ＬＡＮ設定情報を設定する必要がある。このため、宅内において、家族がそれぞれの携帯端末から宅内に構成された無線ＬＡＮに接続するために、家族全員のそれぞれの携帯端末に同じ無線ＬＡＮ設定情報を手動で設定することがしばしばであり、無線ＬＡＮ設定情報の設定に手間がかかるという課題がある。
【０００９】
本発明は、このような事情を考慮してなされたもので、同じ通信ネットワーク設定情報を複数の通信ネットワーク端末に対して設定する際の手間を軽減できる通信ネットワーク設定サービス装置、通信ネットワーク設定サービス方法およびコンピュータプログラムを提供することを課題とする。
【課題を解決するための手段】
【００１０】
（１）本発明に係る通信ネットワーク設定サービス装置は、利用者から提供される通信ネットワーク設定情報を受信する通信ネットワーク設定情報受信部と、通信ネットワーク設定サービスアドレスと前記通信ネットワーク設定情報とを有する通信ネットワーク設定サービスメッセージを生成するメッセージ生成部と、前記通信ネットワーク設定サービスメッセージを指定の端末へ送信するメッセージ送信部と、を有する通信ネットワーク設定サービスメッセージ提供部と、前記通信ネットワーク設定サービスメッセージの通信ネットワーク設定サービスアドレスに基づいて前記通信ネットワーク設定サービスメッセージを受信するメッセージ受信部と、前記受信された通信ネットワーク設定サービスメッセージの通信ネットワーク設定情報を使用して、通信ネットワーク端末に対して設定される端末設定データを生成する端末設定データ生成部と、前記端末設定データを指定の端末へ送信する端末設定データ送信部と、を有する端末設定サービス部と、を備えたことを特徴とする。
【００１１】
（２）本発明に係る通信ネットワーク設定サービス装置は、上記（１）の通信ネットワーク設定サービス装置において、前記端末設定データ生成部は、指定の通信ネットワーク端末機種に対応する前記端末設定データを生成することを特徴とする。
【００１２】
（３）本発明に係る通信ネットワーク設定サービス装置は、上記（１）又は（２）のいずれかの通信ネットワーク設定サービス装置において、前記通信ネットワーク設定サービスメッセージ提供部は、通信ネットワーク設定情報が撮像された画像から該通信ネットワーク設定情報を取得する画像解析部によって取得された該通信ネットワーク設定情報を、前記通信ネットワーク設定サービスメッセージに有させることを特徴とする。
【００１３】
（４）本発明に係る通信ネットワーク設定サービス装置は、上記（１）から（３）のいずれかの通信ネットワーク設定サービス装置において、前記通信ネットワークは無線ＬＡＮであることを特徴とする。
【００１４】
（５）本発明に係る通信ネットワーク設定サービス装置は、上記（１）から（４）のいずれかの通信ネットワーク設定サービス装置において、前記通信ネットワーク設定サービスメッセージはＵＲＬ（Uniform Resource Locator）形式であることを特徴とする。
【００１５】
（６）本発明に係る通信ネットワーク設定サービス方法は、通信ネットワーク設定サービスメッセージ提供部が、利用者から提供される通信ネットワーク設定情報を受信する通信ネットワーク設定情報受信ステップと、前記通信ネットワーク設定サービスメッセージ提供部が、通信ネットワーク設定サービスアドレスと前記通信ネットワーク設定情報とを有する通信ネットワーク設定サービスメッセージを生成するメッセージ生成ステップと、前記通信ネットワーク設定サービスメッセージ提供部が、前記通信ネットワーク設定サービスメッセージを指定の端末へ送信するメッセージ送信ステップと、端末設定サービス部が、前記通信ネットワーク設定サービスメッセージの通信ネットワーク設定サービスアドレスに基づいて前記通信ネットワーク設定サービスメッセージを受信するメッセージ受信ステップと、前記端末設定サービス部が、前記受信された通信ネットワーク設定サービスメッセージの通信ネットワーク設定情報を使用して、通信ネットワーク端末に対して設定される端末設定データを生成する端末設定データ生成ステップと、前記端末設定サービス部が、前記端末設定データを指定の端末へ送信する端末設定データ送信ステップと、を含むことを特徴とする。
【００１６】
（７）本発明に係るコンピュータプログラムは、コンピュータに、利用者から提供される通信ネットワーク設定情報を受信する通信ネットワーク設定情報受信ステップと、通信ネットワーク設定サービスアドレスと前記通信ネットワーク設定情報とを有する通信ネットワーク設定サービスメッセージを生成するメッセージ生成ステップと、前記通信ネットワーク設定サービスメッセージを指定の端末へ送信するメッセージ送信ステップと、前記通信ネットワーク設定サービスメッセージの通信ネットワーク設定サービスアドレスに基づいて前記通信ネットワーク設定サービスメッセージを受信するメッセージ受信ステップと、前記受信された通信ネットワーク設定サービスメッセージの通信ネットワーク設定情報を使用して、通信ネットワーク端末に対して設定される端末設定データを生成する端末設定データ生成ステップと、前記端末設定データを指定の端末へ送信する端末設定データ送信ステップと、を実行させるためのコンピュータプログラムであることを特徴とする。
【発明の効果】
【００１７】
本発明によれば、同じ通信ネットワーク設定情報を複数の通信ネットワーク端末に対して設定する際の手間を軽減できるという効果が得られる。
【図面の簡単な説明】
【００１８】
【図１】本発明の一実施形態に係る無線ＬＡＮ設定サービス装置１の構成を示すブロック図である。
【図２】本発明の一実施形態に係るＵＲＬ形式の無線ＬＡＮ設定サービスメッセージ１００の構成例を示す図である。
【図３】本発明の一実施形態に係る無線ＬＡＮ設定サービス方法の手順の例を示すシーケンスチャートである。
【発明を実施するための形態】
【００１９】
以下、図面を参照し、本発明の実施形態について説明する。本実施形態では、設定の対象となる通信ネットワークの例として無線ＬＡＮを挙げて説明する。特には、Ｗｉ−Ｆｉを例に挙げて説明する。
【００２０】
図１は、本発明の一実施形態に係る無線ＬＡＮ設定サービス装置１の構成を示すブロック図である。図１において、無線ＬＡＮ設定サービス装置１は、無線ＬＡＮ設定サービスメッセージ提供部１０と端末設定サービス部２０を備える。無線ＬＡＮ設定サービスメッセージ提供部１０は、無線ＬＡＮ設定情報受信部１１と画像解析部１２とメッセージ生成部１３とメッセージ送信部１４を有する。端末設定サービス部２０は、メッセージ受信部２１と端末設定データ生成部２２と端末設定データ送信部２３を有する。
【００２１】
無線ＬＡＮ設定サービス装置１は、インターネット等の通信ネットワークを介して利用者の端末とデータを送受する。利用者の端末としては、携帯端末やタブレット型のコンピュータ等の通信端末装置であってもよく、又は、据置き型の通信端末装置（例えば、据置き型のパーソナルコンピュータ等）であってもよい。また、無線ＬＡＮ設定サービス装置１と通信する端末は、無線ＬＡＮ設定情報の設定済みの端末（つまり、無線ＬＡＮを介して通信可能となっている端末）であってもよく、又は、無線ＬＡＮ設定情報の未設定の端末（つまり、まだ無線ＬＡＮを介して通信可能となっていない端末）であってもよい。無線ＬＡＮ設定情報の設定済みの端末は、無線ＬＡＮ、セルラーネットワーク、ＷｉＭＡＸネットワーク等の通信ネットワークを利用して無線ＬＡＮ設定サービス装置１と通信する。無線ＬＡＮ設定情報の未設定の端末は、無線ＬＡＮ以外の通信ネットワーク（例えば、セルラーネットワークやＷｉＭＡＸネットワーク等）を利用して無線ＬＡＮ設定サービス装置１と通信する。
【００２２】
まず無線ＬＡＮ設定サービスメッセージ提供部１０を説明する。無線ＬＡＮ設定情報受信部１１は、利用者から提供される無線ＬＡＮ設定情報を受信する。無線ＬＡＮ設定情報は、テキストデータとして提供されてもよく、又は、無線ＬＡＮ設定情報が撮像された画像として提供されてもよい。また、無線ＬＡＮ設定情報は、利用者の端末から電子メール、ショートメッセージ（ＳＭＳ、ＭＭＳ）、メッセンジャーアプリケーションのメッセージ等により送信されてもよく、又は、無線ＬＡＮ設定情報を受け付けるＷｅｂサイトを設け、利用者の端末から該Ｗｅｂサイトへ送信されてもよい。
【００２３】
画像解析部１２は、無線ＬＡＮ設定情報受信部１１で受信された「無線ＬＡＮ設定情報が撮像された画像」から、該無線ＬＡＮ設定情報を取得する。この画像からの無線ＬＡＮ設定情報の取得では、例えば、「ＳＳＩＤ」及び「パスワード」が印字された印字物（例えば、無線ＬＡＮアクセスポイント装置の筐体に貼られたラベルや、無線ＬＡＮアクセスポイント装置に付属の印字物など）が撮像された画像から、文字認識により「ＳＳＩＤ」及び「パスワード」を取得する。
【００２４】
メッセージ生成部１３は、無線ＬＡＮ設定サービスアドレスと無線ＬＡＮ設定情報とを有する無線ＬＡＮ設定サービスメッセージを生成する。該無線ＬＡＮ設定情報は、無線ＬＡＮ設定情報受信部１１で受信された無線ＬＡＮ設定情報、又は画像解析部１２で取得された無線ＬＡＮ設定情報である。無線ＬＡＮ設定サービスアドレスは、端末設定サービス部２０のメッセージ受信部２１のアドレスである。
【００２５】
無線ＬＡＮ設定サービスメッセージは、例えばＵＲＬ（Uniform Resource Locator）形式を有する。ＵＲＬ形式の無線ＬＡＮ設定サービスメッセージとして、ＵＲＬ本体の末尾に文字列を追加してもよい。ＵＲＬ本体、及び、ＵＲＬ本体の末尾に文字列を追加したものを総称して、ＵＲＬと称する。図２は、本実施形態に係るＵＲＬ形式の無線ＬＡＮ設定サービスメッセージ１００の構成例を示す図である。図２において、無線ＬＡＮ設定サービスメッセージ１００は、ＵＲＬとして生成されている。無線ＬＡＮ設定サービスメッセージ１００は、無線ＬＡＮ設定サービスアドレスと、無線ＬＡＮ設定情報（ＳＳＩＤ、パスワード）を有する。無線ＬＡＮ設定情報は、暗号化されている。暗号化された無線ＬＡＮ設定情報を復号化するための復号鍵は、端末設定サービス部２０で保持される。
【００２６】
図２に示される無線ＬＡＮ設定サービスメッセージ１００によれば、利用者の端末から無線ＬＡＮ設定サービスメッセージ１００のＵＲＬにアクセスすることにより、端末設定サービス部２０のメッセージ受信部２１へ、無線ＬＡＮ設定サービスメッセージ１００、つまり無線ＬＡＮ設定サービスメッセージ１００に含まれる無線ＬＡＮ設定情報を送ることができる。無線ＬＡＮ設定サービスメッセージ１００に含まれる無線ＬＡＮ設定情報が暗号化されている場合には、メッセージ受信部２１は、端末設定サービス部２０で保持される復号鍵を使用して、暗号化された無線ＬＡＮ設定情報を復号する。
【００２７】
メッセージ送信部１４は、メッセージ生成部１３で生成された無線ＬＡＮ設定サービスメッセージを、指定の端末へ送信する。無線ＬＡＮ設定サービスメッセージの送信先となる端末は、利用者が任意に指定できる。無線ＬＡＮ設定サービスメッセージの送信先の端末として、例えば、無線ＬＡＮ設定情報受信部１１に対して無線ＬＡＮ設定情報を送信した端末をデフォルトの指定の端末としてもよい。
【００２８】
次に端末設定サービス部２０を説明する。メッセージ受信部２１は、無線ＬＡＮ設定サービスメッセージの無線ＬＡＮ設定サービスアドレスに基づいて該無線ＬＡＮ設定サービスメッセージを受信する。メッセージ受信部２１は、例えば、図２に示される無線ＬＡＮ設定サービスメッセージ１００に含まれる無線ＬＡＮ設定サービスアドレスによってアクセスされることにより、該無線ＬＡＮ設定サービスメッセージ１００を受信する。
【００２９】
メッセージ受信部２１は、受信した無線ＬＡＮ設定サービスメッセージから無線ＬＡＮ設定情報を取得する。メッセージ受信部２１は、無線ＬＡＮ設定情報が暗号化されている場合には、端末設定サービス部２０で保持される復号鍵を使用して、暗号化された無線ＬＡＮ設定情報を復号する。
【００３０】
端末設定データ生成部２２は、メッセージ受信部２１で受信された無線ＬＡＮ設定サービスメッセージの無線ＬＡＮ設定情報を使用して、無線ＬＡＮ端末に対して設定される端末設定データを生成する。無線ＬＡＮ端末として、スマートフォン等の携帯端末、据置き型の無線ＬＡＮ端末（例えば、据置き型のパーソナルコンピュータ等）などが挙げられる。
【００３１】
端末設定データ生成部２２は、指定の無線ＬＡＮ端末機種に対応する端末設定データを生成する。端末設定データを生成可能な無線ＬＡＮ端末機種（無線ＬＡＮ設定対応可能機種）は、予め定められる。利用者は、無線ＬＡＮ設定対応可能機種の中から任意の機種を指定できる。また、無線ＬＡＮ設定対応可能機種の中から、デフォルトの指定の無線ＬＡＮ端末機種を設けてもよい。
【００３２】
端末設定データ生成部２２には、無線ＬＡＮ設定対応可能機種ごとに、端末設定データ生成方法を定めておく。端末設定データ生成部２２は、指定の無線ＬＡＮ端末機種に対応する端末設定データ生成方法に従って、端末設定データを生成する。端末設定データの生成方法の例１、２を以下に示す。
【００３３】
（端末設定データの生成方法の例１）
特定のファイルフォーマットの端末設定ファイルによって無線ＬＡＮ設定情報の設定が自動的に行われる無線ＬＡＮ端末機種の場合、該特定のファイルフォーマットを端末設定データ生成部２２に保持しておく。端末設定データ生成部２２は、その特定のファイルフォーマットに従って、無線ＬＡＮ設定情報を使用して端末設定ファイルを生成する。この端末設定ファイルは、該当する無線ＬＡＮ端末で実行されることにより、当該無線ＬＡＮ端末に対して無線ＬＡＮ設定情報の設定が自動的に行われるものである。
【００３４】
（端末設定データの生成方法の例２）
特定の無線ＬＡＮ設定手順によって無線ＬＡＮ設定情報の設定が行われる無線ＬＡＮ端末機種の場合、該特定の無線ＬＡＮ設定手順に含まれる各データ設定段階に対して、所定のデータフォーマットを端末設定データ生成部２２に保持しておく。端末設定データ生成部２２は、その特定の無線ＬＡＮ設定手順のデータ設定段階ごとに、該当する所定のデータフォーマットに従って、無線ＬＡＮ設定情報を使用して端末設定データを生成する。この端末設定データは、特定の無線ＬＡＮ設定手順に従って、各データ設定段階で、該当する無線ＬＡＮ端末に設定されることにより、当該無線ＬＡＮ端末に対して無線ＬＡＮ設定情報の設定が自動的に行われるものである。
【００３５】
端末設定データ送信部２３は、端末設定データ生成部２２で生成された端末設定データを指定の端末へ送信する。端末設定データの送信先となる端末は、利用者が任意に指定できる。端末設定データの送信先の端末として、例えば、メッセージ受信部２１に対して無線ＬＡＮ設定サービスメッセージを送信した端末をデフォルトの指定の端末としてもよい。
【００３６】
なお、無線ＬＡＮ設定サービス装置１は、無線ＬＡＮ設定サービスメッセージ提供部１０と端末設定サービス部２０の両方を実装する構成であってもよく、又は、無線ＬＡＮ設定サービスメッセージ提供部１０と端末設定サービス部２０のそれぞれを別個に実装する構成であってもよい。また、無線ＬＡＮ設定サービスメッセージ提供部１０と端末設定サービス部２０とがそれぞれ別個に、インターネット等の通信ネットワークに接続して利用者の端末とデータを送受してもよい。
【００３７】
次に、図３を参照して、本実施形態に係る無線ＬＡＮ設定サービス方法の手順を説明する。図３は、本実施形態に係る無線ＬＡＮ設定サービス方法の手順の例を示すシーケンスチャートである。
【００３８】
（ステップＳ１）  第１の利用者が、宅内に設けられたＷｉ−Ｆｉアクセスポイント装置のラベルの写真を撮影する。そのラベルには、Ｗｉ−Ｆｉアクセスポイント装置の「ＳＳＩＤ」及び「パスワード」が印字されている。写真には、ラベルの「ＳＳＩＤ」及び「パスワード」が写るようにする。
【００３９】
（ステップＳ２）  第１の利用者が、第１の携帯端末を使用して、Ｗｉ−Ｆｉアクセスポイント装置のラベルの写真を無線ＬＡＮ設定サービス装置１の所定のアドレス（無線ＬＡＮ設定情報受信部１１が受信するための宛先のアドレス）へ送信する。
【００４０】
（ステップＳ３）  無線ＬＡＮ設定サービス装置１において、無線ＬＡＮ設定情報受信部１１は、第１の携帯端末からＷｉ−Ｆｉアクセスポイント装置のラベルの写真を受信する。次いで、画像解析部１２が、該受信された写真から、「ＳＳＩＤ」及び「パスワード」を取得する。次いで、メッセージ生成部１３が、該取得された「ＳＳＩＤ」及び「パスワード」と、無線ＬＡＮ設定サービスアドレスとを有する無線ＬＡＮ設定サービスメッセージ（図２に例示されるＵＲＬ）を生成する。次いで、メッセージ送信部１４が、該生成された無線ＬＡＮ設定サービスメッセージ（ＵＲＬ）を第１の携帯端末へ送信する。なお、メッセージ送信部１４は、無線ＬＡＮ設定サービスメッセージ（ＵＲＬ）と共に、Ｗｉ−Ｆｉプロファイル（画像解析部１２で取得された「ＳＳＩＤ」及び「パスワード」）を第１の携帯端末へ送信してもよい。
【００４１】
（ステップＳ４）  第１の利用者は、第１の携帯端末で無線ＬＡＮ設定サービス装置１から受信した無線ＬＡＮ設定サービスメッセージ（ＵＲＬ）を、第２の携帯端末へ転送する。第２の携帯端末は、例えば第１の利用者の家族（第２の利用者）にそれぞれ所有されるものである。無線ＬＡＮ設定サービスメッセージ（ＵＲＬ）の転送の際には、第２の携帯端末に対する無線ＬＡＮ設定情報の設定が終わっていないので、無線ＬＡＮ内での当該転送ができない。このため、無線ＬＡＮ設定サービスメッセージ（ＵＲＬ）の転送方法として、例えば、無線ＬＡＮ以外の通信ネットワーク（例えば、セルラーネットワークやＷｉＭＡＸネットワーク等）を利用して、無線ＬＡＮ設定サービスメッセージ（ＵＲＬ）を記載した通信アプリケーションメッセージ（例えば、電子メール、ショートメッセージ（ＳＭＳ、ＭＭＳ）、メッセンジャーアプリケーションのメッセージ等）を第２の携帯端末へ送信することが挙げられる。又は、近距離無線通信を利用して無線ＬＡＮ設定サービスメッセージ（ＵＲＬ）を第２の携帯端末へ送信することが挙げられる。
【００４２】
（ステップＳ５）  第２の利用者は、第２の携帯端末で第１の携帯端末から転送されたＵＲＬ（無線ＬＡＮ設定サービスメッセージの無線ＬＡＮ設定サービスアドレス）へアクセスする。このアクセスにより、無線ＬＡＮ設定サービス装置１のメッセージ受信部２１は、無線ＬＡＮ設定対応可能機種の一覧を第２の携帯端末へ通知する。第２の利用者は、第２の携帯端末で表示された無線ＬＡＮ設定対応可能機種の一覧の中から、自己の第２の携帯端末の機種を指定する。
【００４３】
（ステップＳ６）  無線ＬＡＮ設定サービス装置１において、メッセージ受信部２１は、第２の携帯端末によるＵＲＬ（無線ＬＡＮ設定サービスメッセージの無線ＬＡＮ設定サービスアドレス）へアクセスにより該ＵＲＬ（無線ＬＡＮ設定サービスメッセージ）を受信し、該受信したＵＲＬから「ＳＳＩＤ」及び「パスワード」を取得する。また、メッセージ受信部２１は、無線ＬＡＮ設定対応可能機種の一覧の中から指定された第２の携帯端末の機種を認識する。次いで、端末設定データ生成部２２は、該取得された「ＳＳＩＤ」及び「パスワード」を使用して、該認識された第２の携帯端末の機種に対応する端末設定データを生成する。次いで、端末設定データ送信部２３は、該生成された端末設定データを第２の携帯端末へ送信する。第２の携帯端末では、無線ＬＡＮ設定サービス装置１から受信した端末設定データによって、Ｗｉ−Ｆｉアクセスポイント装置の「ＳＳＩＤ」及び「パスワード」の設定が自動的に行われる。なお、端末設定データ送信部２３は、端末設定データと共に、Ｗｉ−Ｆｉプロファイル（メッセージ受信部２１で取得された「ＳＳＩＤ」及び「パスワード」）を第２の携帯端末へ送信してもよい。
【００４４】
図３において、第１の携帯端末と第２の携帯端末は、同じであってもよく、又は、異なるものであってもよい。また、第１の携帯端末と第２の携帯端末は、同じ機種であってもよく、又は、異なる機種であってもよい。なお、図３の例では、携帯端末を例に挙げたが、タブレット型のコンピュータ等の通信端末装置や、据置き型の無線ＬＡＮ端末（例えば、据置き型のパーソナルコンピュータ等）等の通信端末装置であってもよい。
【００４５】
上述した実施形態によれば、利用者は、無線ＬＡＮ設定情報を無線ＬＡＮ設定サービス装置１へ提供し、該無線ＬＡＮ設定サービス装置１から提供された無線ＬＡＮ設定サービスメッセージ（例えばＵＲＬ）を設定先の無線ＬＡＮ端末へ転送する。そして、設定先の無線ＬＡＮ端末では、該転送された無線ＬＡＮ設定サービスメッセージの無線ＬＡＮ設定サービスアドレス（例えばＵＲＬ）へアクセスすることにより、該設定先の無線ＬＡＮ端末に対して無線ＬＡＮ設定情報を自動的に設定できる端末設定データを取得できる。これにより、同じ無線ＬＡＮ設定情報を複数の無線ＬＡＮ端末（例えば、複数の携帯端末）に対して設定する際に、各無線ＬＡＮ端末に対していちいち無線ＬＡＮ設定情報を手動で設定する手間が省ける。
【００４６】
以上、本発明の実施形態について図面を参照して詳述してきたが、具体的な構成はこの実施形態に限られるものではなく、本発明の要旨を逸脱しない範囲の設計変更等も含まれる。
【００４７】
また、上述した無線ＬＡＮ設定サービス装置１を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
【００４８】
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５０】
なお、上述の実施形態では、無線ＬＡＮ設定情報を端末に設定する場合を例に挙げて説明したが、無線ＬＡＮ以外の通信ネットワークの通信ネットワーク設定情報を端末に設定する場合にも同様に上述の実施形態を適用可能である。
【符号の説明】
【００５１】
１…無線ＬＡＮ設定サービス装置、１０…無線ＬＡＮ設定サービスメッセージ提供部、２０…端末設定サービス部、１１…無線ＬＡＮ設定情報受信部、１２…画像解析部、１３…メッセージ生成部、１４…メッセージ送信部、２０…端末設定サービス部、２１…メッセージ受信部、２２…端末設定データ生成部、２３…端末設定データ送信部
【図１】
0005885732.tif 000002
【図２】
0005885732.tif 000003
【図３】
0005885732.tif 000004